【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
情報を２値の状態値で規定する情報信号を送信する送信装置と、
前記情報信号を受信する受信装置と、を備え、
前記送信装置は、情報解読信号を生成する信号生成手段を含み、前記情報解読信号を前記情報信号と共に送信するものであり、前記情報信号の状態値が変化する場合には前記情報解読信号の状態値が変化せず、前記情報信号の状態値が変化しない場合には前記情報解読信号の状態値が変化するものであり、  
前記受信装置は、受信した前記情報信号及び前記情報解読信号における状態値の変化点を基準にして前記情報信号の状態値を取得する情報取得手段を含む、
ことを特徴とする通信システム。
【請求項２】
前記情報取得手段は、
前記情報信号における状態値の変化に同期して第１のパルス信号を発生する第１のパルス発生回路と、
前記情報解読信号における状態値の変化に同期して第２のパルス信号を発生する第２のパルス発生回路と、
前記第１のパルス信号と前記第２のパルス信号との論理和信号を出力する論理和回路と、
前記論理和信号を所定時間だけ遅延させる第１の遅延回路と、
前記第１の遅延回路によって遅延された前記論理和信号に同期してカウント動作を行い、カウント値が前記情報信号に含まれる１情報分のビット数と一致した場合に一致検出信号を出力する一致検出回路と、
前記情報信号と前記第１の遅延回路によって遅延された前記論理和信号とを入力とし、当該論理和信号に同期して前記情報信号をシリアル−パラレル変換するシリアル−パラレル変換回路と、
前記一致検出信号に同期してシリアル−パラレル変換された前記情報信号を取得する信号処理回路と、
を備えることを特徴とする請求項１記載の通信システム。
【請求項３】
前記第１のパルス発生回路は、
前記情報信号を所定時間だけ遅延させる第２の遅延回路と、
前記情報信号と前記第２の遅延回路によって遅延された前記情報信号との排他的論理和信号を前記第１のパルス信号として出力する第１の排他的論理和回路とから構成され、
前記第２のパルス発生回路は、
前記情報解読信号を所定時間だけ遅延させる第３の遅延回路と、
前記情報解読信号と前記第３の遅延回路によって遅延された前記情報解読信号との排他的論理和信号を前記第２のパルス信号として出力する第２の排他的論理和回路とから構成され、
前記一致検出回路は、
最大カウント数が前記情報信号に含まれる１情報分のビット数と同一に設定されており、前記第１の遅延回路によって遅延された前記論理和信号に同期してカウント動作を行い、カウント値を示すビットデータをパラレルに出力するカウンタ回路と、
前記カウンタ回路からパラレルに出力される前記ビットデータの論理積信号を前記一致検出信号として出力する論理積回路とから構成されている、
ことを特徴とする請求項２記載の通信システム。
【請求項４】
前記送信装置は、
前記情報信号及び前記情報解読信号を無線送信する無線送信手段を備え、
前記受信装置は、
無線送信された前記情報信号及び前記情報解読信号を受信する無線受信手段を備える、
ことを特徴とする請求項１〜３のいずれか一項に記載の通信システム。
【請求項５】
情報を２値の状態値で規定する情報信号と情報解読信号とを送信する送信手段と、
前記情報解読信号を生成する信号生成手段と、を含み、
前記情報信号の状態値が変化する場合には前記情報解読信号の状態値が維持され、前記情報信号の状態値が変化しない場合には前記情報解読信号の状態値が変化するものである、
ことを特徴とする送信装置。
【請求項６】
前記送信手段が、前記情報信号及び前記情報解読信号を無線送信する無線送信手段を含む、ことを特徴とする請求項５記載の送信装置。
【請求項７】
情報を２値の状態値で規定する情報信号と、情報解読信号と、を受信する受信手段と、   前記情報解読信号における状態値の変化点を基準にして前記情報信号の状態値を取得する情報取得手段と、を備え、
前記情報信号の状態値が変化する場合には前記情報解読信号の状態値が維持され、前記情報信号の状態値が変化しない場合には前記情報解読信号の状態値が変化するものである、
ことを特徴とする受信装置。
【請求項８】
前記情報取得手段は、
前記情報信号における状態値の変化に同期して第１のパルス信号を発生する第１のパルス発生回路と、
前記情報解読信号における状態値の変化に同期して第２のパルス信号を発生する第２のパルス発生回路と、
前記第１のパルス信号と前記第２のパルス信号との論理和信号を出力する論理和回路と、
前記論理和信号を所定時間だけ遅延させる第１の遅延回路と、
前記第１の遅延回路によって遅延された前記論理和信号に同期してカウント動作を行い、カウント値が前記情報信号に含まれる１情報分のビット数と一致した場合に一致検出信号を出力する一致検出回路と、
前記情報信号と前記第１の遅延回路によって遅延された前記論理和信号とを入力とし、当該論理和信号に同期して前記情報信号をシリアル−パラレル変換するシリアル−パラレル変換回路と、
前記一致検出信号に同期してシリアル−パラレル変換された前記情報信号を取得する信号処理回路と、
を備えること特徴とする請求項７記載の受信装置。
【請求項９】
前記第１のパルス発生回路は、
前記情報信号を所定時間だけ遅延させる第２の遅延回路と、
前記情報信号と前記第２の遅延回路によって遅延された前記情報信号との排他的論理和信号を前記第１のパルス信号として出力する第１の排他的論理和回路とから構成され、
前記第２のパルス発生回路は、
前記情報解読信号を所定時間だけ遅延させる第３の遅延回路と、
前記情報解読信号と前記第３の遅延回路によって遅延された前記情報解読信号との排他的論理和信号を前記第２のパルス信号として出力する第２の排他的論理和回路とから構成され、
前記一致検出回路は、
最大カウント数が前記情報信号に含まれる１情報分のビット数と同一に設定されており、前記第１の遅延回路によって遅延された前記論理和信号に同期してカウント動作を行い、カウント値を示すビットデータをパラレルに出力するカウンタ回路と、
前記カウンタ回路からパラレルに出力される前記ビットデータの論理積信号を前記一致検出信号として出力する論理積回路とから構成されている、
ことを特徴とする請求項８記載の受信装置。
【請求項１０】
前記受信手段が、無線送信された前記情報信号及び前記情報解読信号を受信する無線受信手段を含む、
ことを特徴とする請求項７〜９のいずれか一項に記載の受信装置。
【請求項１１】
送信側から情報を２値の状態値で規定する情報信号と情報解読信号とを送信し、
受信側で前記情報信号と前記情報解読信号とを受信し、かつ、受信側で前記情報信号及び前記情報解読信号における状態値の変化点を基準にして前記情報信号の状態値を取得するものであり、
前記情報信号の状態値が変化する場合には前記情報解読信号の状態値が変化せず、前記情報信号の状態値が変化しない場合には前記情報解読信号の状態値が変化するものである、
ことを特徴とする通信方法。
【手続補正２】
【補正対象書類名】明細書
【補正対象項目名】発明の名称
【補正方法】変更
【補正の内容】
【発明の名称】通信システム、送信装置、受信装置及び通信方法
【手続補正３】
【補正対象書類名】明細書
【補正対象項目名】０００１
【補正方法】変更
【補正の内容】
【０００１】
本発明は、通信システム、送信装置、受信装置及び通信方法に関する。